(57)【要約】【課題】  駆動モータが異なる複数の搬送ローラにまたがって停止した残留シートを、下流側の搬送ローラを手動回転させて取出し可能な位置まで搬送する場合に、残留シートの搬送抵抗が高いと、搬送ローラとシートがスリップしてシートを確実に搬送できずに、ジャム処理が煩雑、長時間に及んでしまう。そのため、残留シートの搬送抵抗が高い場合でも、簡便な操作で残留シートを確実に搬送して除去できるシート搬送装置を提供する。【解決手段】  ジャム処理時の操作に伴って、搬送ローラ対６１の駆動ローラ６２に圧接される従動ローラ６３の圧接力を増加させて、手動回転させたときの搬送ローラ対６１の搬送力を高めることにより、搬送抵抗の高い残留シートを確実に取出し可能な位置まで搬送する。【選択図】  図１
2016098087.tif 000002
【特許請求の範囲】
【請求項１】
シートを搬送する搬送ローラ対と、
前記搬送ローラ対により搬送されるシートを案内する搬送路と、
手動で前記搬送ローラ対を回転させる操作手段と、
前記搬送路に残留したシートを除去する操作に伴って、前記搬送ローラ対の圧接力を増加させる増加手段と、
有することを特徴とするシート搬送装置。
【請求項２】
前記搬送路を形成するガイドを備え、
前記増加手段は、前記搬送路を開放するように前記ガイドを移動させる操作に伴って、前記搬送ローラ対の圧接力を増加させることを特徴とする請求項１に記載のシート搬送装置。
【請求項３】
前記増加手段は、
前記搬送ローラ対のうちの一方のローラを回転自在に支持し、揺動自在な揺動部材と、
一端が前記揺動部材に他端が前記ガイドに取り付けられ、前記一方のローラを他方のローラに付勢する付勢バネと、
を含むことを特徴とする請求項２に記載のート搬送装置。
【請求項４】
前記増加手段は、前記操作手段の回転に伴って、前記搬送ローラ対の圧接力を増加させることを特徴とする請求項１に記載のシート搬送装置。
【請求項５】
前記増加手段は、
前記操作手段からの回転力を受けて回転する第１ギアと、
前記第１ギアと噛み合い前記搬送ローラ対のうちの一方のローラの軸に設けられ、前記第１ギアの回転中心を中心として揺動する揺動部材に回転自在に支持された第２ギアと、
前記第２ギアと噛み合い前記搬送ローラ対のうちの他方のローラの軸に設けられた第３ギアと、
含むことを特徴とする請求項４に記載のシート搬送装置。
【請求項６】
前記増加手段は、
前記操作手段からの回転力を受けて回転する第１プーリと、
前記第１プーリに支持され前記第１プーリの回転に伴って回転するベルトと、
前記ベルトの外周が接し、前記搬送ローラ対のうちの一方のローラの軸に設けられた第２プーリと、
前記ベルトを支持し、前記搬送ローラ対のうちの他方のローラの軸と駆動が伝わるように連結された、第３プーリと、
含むことを特徴とする請求項４に記載のシート搬送装置。
【請求項７】
前記搬送ローラ対は、駆動ローラと、駆動ローラに付勢される従動ローラとを有し、前記増加手段は、前記従動ローラの付勢力を増加させることにより前記搬送ローラ対の圧接力を増加させることを特徴とする請求項１乃至６のいずれか１項に記載のシート搬送装置。
【請求項８】
請求項１乃至７のいずれか１項に記載のシート搬送装置と、
前記シート搬送装置によって搬送されるシートに画像を形成する画像形成部と、を有することを特徴とする画像形成装置。
【発明の詳細な説明】
【技術分野】
【０００１】
本発明は、シートを搬送するシート搬送装置およびこれを備えた画像形成装置に関する。
【背景技術】
【０００２】
複写機、プリンタ等の画像形成装置は、シート収納部に収納されたシートを搬送路に沿って搬送するシート搬送装置を備えている。シート搬送装置によって搬送されるシートには、搬送路を搬送中に画像形成手段によって画像が形成される。
【０００３】
シート搬送装置としては、搬送ローラ対を搬送路に沿って複数配置して、搬送ローラ対によってシートを順次搬送する形態のものが広く利用されている。シート搬送装置では、ジャム等により搬送路内にシートが残留した場合には、搬送路内からシートを取り除く必要がある。
【０００４】
特許文献１には、搬送ローラ対を駆動する操作ノブを手動で回転させて、搬送路内に残留したシートを除去可能な位置まで搬送するようにしたシート搬送装置が記載されている。
【先行技術文献】
【特許文献】
【０００５】
【特許文献１】特開昭５８−２１７５２号公報
【発明の概要】
【発明が解決しようとする課題】
【０００６】
ところが、操作ノブを操作して搬送ローラ対を回転しても、搬送ローラ対とシートの間でスリップが発生してしまうことがある。例えば、搬送路内に残留したシートが２つの搬送ローラ対に挟持された状態で停止した場合、一方の搬送ローラ対を操作ノブで回転させても、他方の搬送ローラ対の抵抗によって、回転させた搬送ローラ対と滞留したシートの間でスリップが発生してしまう。回転させた搬送ローラ対と滞留したシートの間でスリップが発生してしまうと操作ノブを使ってシートを移動させることができないので、滞留したシートを取り除くことが困難になる。
【０００７】
本発明の目的は、簡便な操作で残留したシートを搬送し、取り除くことのできるシート搬送装置を提供することである。
【課題を解決するための手段】
【０００８】
本発明は、シートを搬送する搬送ローラ対と、前記搬送ローラ対により搬送されるシートを案内する搬送路と、手動で前記搬送ローラ対を回転させる操作手段と、前記搬送路に残留したシートを除去する操作に伴って、前記搬送ローラ対の圧接力を増加させる増加手段と、有することを特徴とするシート搬送装置である。
【発明の効果】
【０００９】
本発明によれば、確実に残留シートを除去できるシート搬送装置を提供することが可能となる。
【図面の簡単な説明】
【００１０】
【図１】第１実施形態の反転搬送部の説明図。
【図２】第１実施形態のデジタルプリンタの概略図。
【図３】第１実施形態のデジタルプリンタの制御ブロック図。
【図４】第１実施形態のデジタルプリンタの動作説明図。
【図５】第１実施形態の搬送ローラ対の概略図。
【図６】第２実施形態の反転搬送部の説明図。
【図７】第３実施形態の反転搬送部の説明図。
【発明を実施するための形態】
【００１１】
（第１実施形態）
図２に、本発明の第１の実施形態のシート搬送装置を備えた画像形成装置の概略図を示す。図２に示した画像形成装置は、シートにトナー画像を形成する電子写真方式のデジタルプリンタ１０である。
【００１２】
デジタルプリンタ１０は、像担持体１にトナー像を形成する作像ユニット１１と、シート収納部１２と、を有する。また、デジタルプリンタ１０は、更に、給紙部１３、レジスト前搬送部１４、転写搬送ユニット１５、排紙搬送部１６、反転搬送部１７、両面搬送部１８と、を含むシート搬送装置を有する。
【００１３】
シート収納部１２に収納されたシートＳは、給紙部１３によって給紙され、レジスト前搬送部１４を経由して転写搬送ユニット１５へ搬送される。転写搬送ユニット１５は、レジストローラ対２１と、転写搬送装置２２と、定着装置２３とを備え、シートＳを搬送しながらトナー像の転写と定着を行う。作像ユニット１１と転写搬送ユニット１５とによってシートに画像を形成する画像形成部が構成される。
【００１４】
排紙搬送部１６は、排紙切換フラッパ２４で搬送路を切り換えて、シートＳを機外（矢印Ａ方向）または反転搬送部１７（矢印Ｂ方向）へ搬送する。反転搬送部１７は、シートＳを内部へ引き込んだ後に、搬送方向を反転し、排紙切換フラッパ２４および反転切換フラッパ２５で経路を切り換えて、シートＳを、排紙搬送部１６を経由して機外（矢印Ｃ方向）または両面搬送部１８（矢印Ｄ方向）へ搬送する。両面搬送部１８へ搬送されたシートＳは、再びレジスト前搬送部１４を経由して転写搬送ユニット１５へ搬送され、裏面に画像が形成される。
【００１５】
さらに、デジタルプリンタ１０は、制御部１０１と、作像ユニット１１などの電子写真プロセス系装置各部の電圧や温度等を検出する監視センサ１０２と、各シート搬送装置内のシート通過タイミングや位置を検出する搬送センサ１０３とを備えている。制御部１０１は、画像形成信号に加え、監視センサ１０２と搬送センサ１０３の検出信号に基づいて、シート搬送系装置や電子写真プロセス系装置の動作を制御する。図３には、デジタルプリンタ１０の制御系ブロック図を示す。
【００１６】
また、制御部１０１は、監視センサ１０２と搬送センサ１０３の検出結果から装置各部の異常やシートのジャム（詰まり）を判断して、状態に応じた復帰処理や、シート搬送および画像形成動作の停止処理を行う。
【００１７】
ジャムや装置の異常による搬送動作の停止に伴って搬送路内に残留したシートは、搬送路を開放して除去される。
【００１８】
ここで、デジタルプリンタ１０における、シートを案内する搬送路を開放して残留シートを除去するジャム処理に関連した構成について説明する。
【００１９】
シート収納部１２、転写搬送ユニット１５、両面搬送部１８は、スライドレール（図示せず）を介してデジタルプリンタ１０の装置本体の前方（図２における紙面に垂直な方向）に引き出し可能に支持された引き出しユニットである。引き出しユニットの搬送路を開放するためには、デジタルプリンタ１０の装置本体から引き出しユニットを引き出す引き出し操作が必要となる。一方、給紙部１３、レジスト前搬送部１４、排紙搬送部１６、反転搬送部１７は、デジタルプリンタ１０の装置本体に固定された固定ユニットである。各固定ユニットで滞留したシートを取り除くためには、搬送路の一部と一体の右ドア３０や、回動可能に支持された可動ガイド３１〜３５を回動させて搬送路を開放する。図４には、右ドア３０および可動ガイド３１〜３５を回動させて搬送路を開放した状態のデジタルプリンタ１０の概略図を示す。
【００２０】
ジャムや異常時の搬送動作の停止タイミングによっては、残留シートが、引き出しユニットの搬送路と固定ユニットの搬送路にまたがって停止することがある。そして、引き出しユニットの搬送路と固定ユニットの搬送路にシートがまたがって停止した状態のまま引き出しユニットを引き出すと、装置の部品がシートによって損傷したりシートが破けて紙片が発生し、発生した紙片が搬送路中に残ったりする。そこで、デジタルプリンタ１０では、装置の部品の損傷や紙片の発生を防ぐために、まず固定ユニット側の搬送路を開放して、両搬送路にまたがった残留シートを除去する。
【００２１】
しかし、図４に示すシートＳ１、Ｓ３のように、引き出しユニットの搬送路と固定ユニットの搬送路にまたがって停止した残留シートが、搬送路を開放（右ドア３０や可動ガイド３１〜３５を回転）させただけでは除去できない位置にある場合がある。このような場合には、手動で搬送ローラ対を回転させて、残留シートを固定ユニットにおける除去可能な位置まで搬送してから取り除く。
【００２２】
シートＳ１はレジスト前搬送部１４の搬送ローラ対４１と両面搬送部１８の搬送ローラ対５１に挟持されて停止している。シートＳ３は反転搬送部１７の搬送ローラ対６１と両面搬送部１８の搬送ローラ対５４、５５に、それぞれ挟持されて停止している。
【００２３】
レジスト前搬送部１４と反転搬送部１７には、それぞれの駆動モータＭ１、Ｍ２の他に、搬送ローラ対４１または搬送ローラ対６１を手動で回転（駆動）するための操作手段が設けられている。シートＳ１は、手動で回転される搬送ローラ対４１によって、除去可能な位置Ｅまで矢印Ｆ方向へ搬送される。シートＳ３は、手動で回転される搬送ローラ対６１によって、除去可能な位置Ｇまで矢印Ｈ方向へ搬送される。搬送ローラ対６１を手動で回転させる操作手段の構成や動作については後に詳述する。
【００２４】
両面搬送部１８は、搬送ローラ対５１〜５５と、駆動モータＭ３と、この駆動モータＭ３からの駆動を搬送ローラ対５１〜５５に伝達する駆動伝達部（図示せず）とを有する。搬送ローラ対５１〜５５を駆動する駆動モータＭ３は、レジスト前搬送部１４を駆動するために設けられている駆動モータＭ１とは異なるモータである。搬送ローラ対５１〜５５は、それぞれ、一方向クラッチを介して駆動伝達部と連結される。一方向クラッチは、搬送ローラ対５１〜５５に挟持されたシートが、図４の矢印Ｆ方向へ引き抜かれる際に、空転して駆動の連結が切断されるように設定されている。一方、搬送ローラ対５１〜５５に挟持されたシートを図４の矢印Ｈ方向へ引き抜く場合には、搬送ローラ対５１〜５５と駆動伝達部が連結されたままなので、両面搬送部１８の駆動伝達部と駆動Ｍ３の負荷が、シートを引抜く際に抵抗として加わってしまう。
【００２５】
そこで、本実施形態では、反転搬送部１７が、ジャム処理のために手動で搬送ローラ対６１を回転させてシートを搬送する際に、搬送ローラ対６１の圧接力を増加させるための以下で詳述する増加手段を備えている。ここで、搬送ローラ対６１の圧接力とは搬送ローラ対の一方のローラが他方のローラに圧接する力であって、圧接力が増加することによって搬送ローラ対６１がシートを搬送する搬送力が増大する。すなわち、手動で搬送ローラ対６１を回転させてシートを搬送する場合においても、搬送ローラ対６１の圧接力が大きいほど搬送ローラ対６１でシートを送る力が大きくなる。
【００２６】
このように搬送ローラ対６１の搬送力を増加させることによって、両面搬送部１８の駆動伝達部や駆動モータＭ３の負荷がシートの搬送抵抗となっている場合でも、搬送ローラ対６１はシートＳ３を除去可能な位置Ｇまで確実に搬送することができる。つまり、両面搬送部１８の駆動伝達部や駆動モータＭ３の負荷がシートの搬送抵抗となっていると、搬送ローラ対６１を手動で回転させても搬送ローラ対６１とシートとがスリップして搬送できない問題の発生が懸念される。しかしながら、本実施形態では増加手段によって搬送ローラ対６１の搬送力が増加されるので、搬送ローラ対６１とシートとのスリップが低減されて上記問題の発生が少なくなる。
【００２７】
以下では、反転搬送部１７に備えられた増加手段について詳しく説明する。
【００２８】
まず、図５に、搬送ローラ対６１の概略図を示す。搬送ローラ対６１は、駆動モータＭ２からの駆動を受けて回転する駆動ローラ６２と、駆動ローラ６２に従動回転する従動ローラ６３とで構成される。駆動ローラ６２は、シートを搬送する搬送ローラ６２ａと、回転自在に軸支され、搬送ローラ６２ａと一体的に回転する駆動軸６２ｂとで構成される。従動ローラ６３は、搬送ローラ６２ａに対して付勢される付勢ローラ６３ａと、付勢ローラ６３ａと一体的に回転する従動軸６３ｂとで構成される。
【００２９】
図１に、搬送ローラ対６１が取り付けられている反転搬送部１７の詳細を示す。反転搬送部１７は、図４を用いて上述したとおり、ジャム処理をするために開閉可能な可動ガイド３４、３５が設けられている。図１（ａ）は可動ガイド３４、３５が閉じた状態を、図１（ｂ）は可動ガイド３４を開いて搬送路を開放した状態を示す。
【００３０】
回転自在に軸支された駆動ローラ６２の駆動軸６２ｂの一端は、装置本体フレームの後側板３の後方側まで延伸され、後側板３の後方に配置された駆動モータＭ２と連結されている。駆動軸６２ｂの他端部は、装置本体フレームの前側板２の前方に延伸して、操作者が搬送ローラ対６１を回転させるために操作する操作ノブ７１が固定されている。
【００３１】
従動ローラ６３の従動軸６３ｂは、付勢アーム７３ａ、７３ｂに回転自在に支持されている。付勢アーム７３ａ、７３ｂは、アーム軸７２に回転自在に支持される。付勢アーム７３ａ、７３ｂには、付勢バネ７５ａ、７５ｂの一端が取り付けられ、付勢バネ７５ａ、７５ｂの他端は、可動ガイド３４に固定されたフック７４ａ、７４ｂに取り付けられている。即ち、付勢アーム７３ａ、７３ｂと可動ガイド３４とは付勢バネ７５ａ、７５ｂによって連結されている。
【００３２】
付勢バネ７５ａ、７５ｂは、付勢アーム７３ａ、７３ｂを介して、搬送ローラ対６３のうちの一方のローラとしての従動ローラ６３ａを、他方のローラとしての搬送ローラ６２ａに対して付勢する。付勢バネ７５ａ、７５ｂは、可動ガイド３４が閉じた状態で、付勢ローラ６３ａの付勢力がシート搬送に最適となるように、つまりシートを安定して搬送し、かつ、シートに形成された画像にダメージを与えないように調整されている。
【００３３】
可動ガイド３４は、軸７６に回転自在に支持される。可動ガイド３４には、前側板２の前方に張り出して突出部としてのハンドル部３４ａが設けられている。可動ガイド３４を開閉する際には、ハンドル部３４ａを操作者が操作して可動ガイド３４を軸７６まわりに回動させる。図４で示したシートＳ３のように、搬送路を開放しただけでは除去できない位置にある残留シートは、可動ガイド３４を開いて搬送路を開放した後に、操作ノブ７１を手動で回転する。操作ノブ７１からの回転力を受けて搬送ローラ対６１が回転することで、搬送ローラ対６１がシートを除去可能な位置まで搬送する。
【００３４】
ここで、図１（ｂ）に示したように、可動ガイド３４を開くと付勢バネ７５ａ、７５ｂが伸びて張力が増加し、これに伴って搬送ローラ６２ａに対する付勢ローラ６３ａの付勢力が増加する。したがって、搬送ローラ対６１の圧接力、即ちシートを搬送するための力である搬送力が増加される。そのため、シートＳ３のように、両面搬送部１８の駆動伝達部や駆動モータＭ３の負荷が加わって搬送抵抗の大きい残留シートも、圧接力が増加された搬送ローラ対６１で搬送することができる。すなわち、操作ノブ７１を回転させて搬送ローラ対６１でシートを搬送する際に、搬送ローラ対６１とシートとの間でスリップが生じてシートを搬送できないということがなくなる。
【００３５】
本実施形態では、付勢バネ７５ａ、７５ｂ、可動ガイド３４やフック７４ａ、７４ｂによって構成される増加手段によって、ジャム処理の一連の操作の一つである可動ガイド３４を開く操作に伴って搬送ローラ対６１の圧接力（搬送力）を増加させている。したがってジャム処理のための手順を増やすことなく残留シートを確実に除去することができる。
【００３６】
本実施形態では、可動ガイド３４を開く動作と連動して従動ローラ６３ａの付勢力を増加させたが、ドアの開閉など、他のジャム処理時の操作と連動させて付勢ローラ６３ａの付勢力を増加させても同様の効果を得ることができる。
【００３７】
（第２の実施形態）
図６（ａ）に、本発明の第２の実施形態のシート搬送装置を示す。本実施形態のシート搬送装置は、第１実施形態と搬送ローラ対の圧接力（搬送力）を増加させるための構成が異なった反転搬送部８０を有する点が異なる。実施形態１と同様の構成については第１実施形態と同様の符号を付して詳細な説明を省略する。
【００３８】
反転搬送部８０において、操作ノブ７１は、回転自在に支持された支点軸８１に固定されている。支点軸８１には、揺動部材としての揺動アーム８２ａ、８２ｂが揺動自在に支持され、揺動アーム８２ａ、８２は、支点軸８１の回転中心（軸心）を中心として揺動自在である。揺動アーム８２ａ、８２ｂは、従動ローラ６３の従動軸６３ｂを回転自在に支持する。したがって、従動ローラ６３は、支点軸８１まわりに揺動可能に支持される。また、従動ローラ６３は、従動軸６３ｂに係合する付勢バネ８３ａ、８３ｂにより、シート搬送に適した付勢力で搬送ローラ６２ａに向けて付勢される。なお、従動ローラ６３の従動軸６３ｂは、手動でシートを搬送ローラ対６１が搬送する方向において支点軸８１よりも下流に配置されている。
【００３９】
支点軸８１には、搬送路の両側で突出した箇所に第１ギアとしての支点ギア８４ａ、８４ｂが一体的に固定され、従動軸６３ｂには、支点ギア８４ａ、８４ｂとかみ合う第２ギアとしてのアイドラギア８５ａ、８５ｂが回転自在に支持されている。アイドラギア８５ａ、８５ｂと、第３ギアとしての駆動ギア８６ａ、８６ｂとは、従動ローラ６３を駆動ローラ６２に付勢した位置で、ギアがかみ合うように歯数が設定される。
【００４０】
図６（ｂ）には、各ギアによる駆動列の詳細を示す。図６（ｂ）に示すように、搬送ローラ対６１で挟持したシートを矢印Ｈ方向へ搬送するためには、支点軸８１に固定された操作ノブ７１を矢印Ｊ方向へ回転させて、駆動ギア８６ａ（８６ｂ）を矢印Ｌ方向へ回転してやればよい。
【００４１】
支点ギア８４ａ（８４ｂ）を矢印Ｊ方向へ回転させて駆動ギア８６ａ（８６ｂ）へ駆動を伝達する場合、従動軸６３ｂは、揺動アーム８２ａ（８２ｂ）から、駆動軸６２ｂの負荷トルクに応じて矢印Ｈ方向と反対方向への力を受ける。この力による支点軸８１を中心としたモーメントにより、搬送ローラ対６１を手動で回転させる際に、シートの搬送抵抗に応じて、搬送ローラ対６１の圧接力を増加させることができる。このように、反転搬送部８０は、ジャム処理の際に、シートの搬送抵抗が高いほど従動軸６３ｂに生じるモーメントが大きくなり、搬送ローラ対６１は大きな圧接力（搬送力）を得ることができるため、より確実な残留シートの除去操作をすることができる。
【００４２】
本実施形態では、回転自在に支持された支点軸８１に操作ノブ７１を固定したが、操作ノブは駆動軸６２ｂや従動軸６３ｂなど他の箇所に設けてもよい。揺動支持されたギア列の作用を利用して従動ローラ６３の付勢力を増加させる形態であれば同様の効果を得ることができる。
【００４３】
（第３の実施形態）
図７（ａ）に、本発明の第３の実施形態のシート搬送装置を示す。第３の実施形態は、第１の実施形態と搬送ローラ対の圧接力を増加させるための構成が異なった反転搬送部９０を有する点が異なる。第１の実施形態と同様の構成については第１の実施形態と同様の符号を付して詳細な説明を省略する。
【００４４】
反転搬送部９０は、回転自在に軸支される入力軸９１とアイドラ軸９２とを有している。操作ノブ７１からの回転力を受けて回転する入力軸９１は、搬送幅方向中央に、一体的に固定された第１プーリとしての駆動プーリ９１ａを備える。アイドラ軸９２は、搬送幅方向中央に、一体的に固定された駆動プーリ９２ａを備える。駆動プーリ９１ａと駆動プーリ９２ａとは、駆動ベルト９３を支持し、互いに駆動ベルト９３で連結される。入力軸９１の一端には操作ノブ７１が固定される。従動軸６３ｂには、アイドラプーリ９６が回転自在に支持され、アイドラプーリ９６は駆動ベルト９３を支持している。即ち、従動軸６３ｂに設けられた、第２プーリとしてのアイドラプーリ９６は、駆動ベルト９３の外周に接していて駆動ベルト９３に従動する。
【００４５】
操作ノブ７１が手動で回転されると、入力軸９１が回転する。入力軸９１の回転は、駆動ベルト９３によって、アイドラ軸９２へ伝達される。アイドラ軸９２には、端部にも駆動プーリ９２ｂが一体的に設けられている。よってアイドラ軸９２へ伝達された回転は、駆動ベルト９４を介して、駆動ローラ軸６２ａに一体的に固定された駆動プーリ９５へ伝達される。
【００４６】
図７（ｂ）には、駆動ベルト９３、９４による駆動伝達経路の詳細を示す。
【００４７】
図７（ｂ）に示すように、操作ノブ７１を操作して、搬送ローラ対６１で挟持したシートを矢印Ｈ方向へ搬送するためには、駆動軸９１に固定された操作ノブ７１を回転させて、入力軸９１の回転を駆動軸６２ｂへ伝達させる。このとき、駆動プーリ９１ａから駆動力を受けて矢印Ｎ方向に移動する駆動ベルト９３の張り側領域９７は、駆動軸６２ｂの負荷トルクに応じて、テンションが上昇する。このテンションが上昇によって、アイドラプーリ９６は、駆動ベルト９３から矢印Ｒ方向の力を受け、従動ローラ６３の駆動ローラ６２に対する付勢力が増加する。
【００４８】
したがって、反転搬送部９０では、操作ノブ７１を操作によって残留シートを矢印Ｈ方向へ搬送する際に、搬送ローラ対６１の圧接力（搬送力）を増加させることができる。
【００４９】
本実施形態では、従動ローラ６３への増加手段として、駆動ベルト９３を、搬送幅方向中央の１カ所に設けたが、他の位置や複数カ所へ配置した場合でも、同様に効果を得ることができる。
【００５０】
本実施形態では、駆動ベルト９３を用いて、駆動ローラ６２の負荷トルクを利用した従動ローラ６３へ増加手段としたが、他の形態の手段でも、駆動ローラ６２の負荷トルクを利用したものであれば、同様の効果を得ることができる。
【００５１】
また、シートに画像を形成する画像形成部の一例として電子写真方式の画像形成部を示したが、インクジェット方式の画像形成部を備えた画像形成装置にも本発明は適用できる。
【符号の説明】
【００５２】
６１  搬送ローラ対
７１  操作ノブ
７５ａ、７５ｂ  付勢バネ
【図１】
2016098087.tif 000003
【図２】
2016098087.tif 000004
【図３】
2016098087.tif 000005
【図４】
2016098087.tif 000006
【図５】
2016098087.tif 000007
【図６】
2016098087.tif 000008
【図７】
2016098087.tif 000009